【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
第１ユーザと第２ユーザとを含むグループに含まれるユーザの端末によって実行されるプログラムであって、
前記グループに送信された第１コンテンツを前記端末の表示部に表示することと、
前記表示部に表示された前記第１コンテンツに対する前記ユーザによる入力に基づいて、前記端末によって入力された第２コンテンツと、前記グループに送信された前記第１コンテンツの少なくとも一部を含む第３コンテンツとが前記第１ユーザに対して送信され、前記第１ユーザに対して送信された前記第２コンテンツと、前記第１ユーザに対して送信された前記第３コンテンツとを前記表示部に表示することと、
前記表示部に表示された前記第３コンテンツに対する前記ユーザによる入力に基づいて、前記グループに送信された前記第１コンテンツを前記表示部に表示することとが前記端末によって実行される。
【請求項２】
請求項１に記載のプログラムであって、
前記第１コンテンツは、前記第１ユーザの端末によって前記グループに送信される。
【請求項３】
請求項１または請求項２に記載のプログラムであって、
前記第１コンテンツは、前記表示部に表示された前記第３コンテンツに対する前記ユーザによる入力の後、前記ユーザが前記端末を操作することなく、前記表示部に表示される。
【請求項４】
請求項３に記載のプログラムであって、
前記第１コンテンツは、前記表示部に表示された前記第３コンテンツに対する前記ユーザによる入力の後、前記ユーザが前記表示部をスクロール操作することなく、前記表示部に表示される。
【請求項５】
請求項１から請求項４のいずれか一項に記載のプログラムであって、
前記第２コンテンツは、前記ユーザによる前記端末への操作によって入力される。
【請求項６】
請求項１から請求項５のいずれか一項に記載のプログラムであって、
前記第１コンテンツと、前記グループを示すグループ名とを前記表示部に表示することが前記端末によって実行される。
【請求項７】
請求項６に記載のプログラムであって、
前記第２コンテンツと、前記第３コンテンツと、前記第１ユーザのユーザ名とを前記表示部に表示することが前記端末によって実行される。
【請求項８】
請求項１から請求項７のいずれか一項に記載のプログラムであって、
前記第３コンテンツは、前記第１コンテンツである。
【請求項９】
請求項１から請求項８のいずれか一項に記載のプログラムであって、
前記第３コンテンツと、前記第２コンテンツとは、前記第３コンテンツと、前記第２コンテンツとが一組にされた第４コンテンツとして前記表示部に表示される。
【請求項１０】
請求項１から請求項９のいずれか一項に記載のプログラムであって、
前記端末に送信されたコンテンツを、送信された順序に基づいて前記表示部に表示することが前記端末によって実行される。
【請求項１１】
請求項１０に記載のプログラムであって、
前記第２コンテンツは、前記表示部のうち、前記第３コンテンツの下の領域に表示される。
【請求項１２】
請求項１から請求項１１のいずれか一項に記載のプログラムであって、
前記第１コンテンツは、前記グループの第１トークルームに表示され、
前記第２コンテンツと、前記第３コンテンツとは、前記第１ユーザと前記ユーザとの第２トークルームに表示される。
【請求項１３】
請求項１２に記載のプログラムであって、
前記第３コンテンツは、前記第１コンテンツであり、
前記第１コンテンツは、前記第１トークルームの情報と、前記第２トークルームの情報とが関連付けられている。
【請求項１４】
請求項１から請求項１３のいずれか一項に記載のプログラムであって、
前記第１コンテンツは、サーバを介して前記グループに送信され、
前記第２コンテンツと第３コンテンツとは、前記サーバを介して前記第１ユーザに対して送信される。
【請求項１５】
請求項１４に記載の前記端末と請求項１４に記載の前記サーバとを含むシステムによって実行されるプログラムであって、
前記第１コンテンツを前記サーバの通信部によって受信することと、
前記第１コンテンツを、前記グループに前記サーバの通信部によって送信することと、
前記第２コンテンツと前記第３コンテンツとを、前記サーバの通信部によって受信することと、
前記第２コンテンツと前記第３コンテンツとを、前記サーバの通信部によって前記第１ユーザに対して送信することとが前記サーバによって実行される。
【請求項１６】
第１ユーザと第２ユーザとを含むグループに含まれるユーザの端末の情報処理方法であって、
前記グループに送信された第１コンテンツを前記端末の表示部に表示することと、
前記表示部に表示された前記第１コンテンツに対する前記ユーザによる入力に基づいて、前記端末によって入力された第２コンテンツと、前記グループに送信された前記第１コンテンツの少なくとも一部を含む第３コンテンツとが前記第１ユーザに対して送信され、前記第１ユーザに対して送信された前記第２コンテンツと、前記第１ユーザに対して送信された前記第３コンテンツとを前記表示部に表示することと、
前記表示部に表示された前記第３コンテンツに対する前記ユーザによる入力に基づいて、前記グループに送信された前記第１コンテンツを前記表示部に表示することとを含む。
【請求項１７】
第１ユーザと第２ユーザとを含むグループに含まれるユーザの端末であって、
前記グループに送信された第１コンテンツを表示し、表示された前記第１コンテンツに対する前記ユーザによる入力に基づいて、前記端末によって入力された第２コンテンツと、前記グループに送信された前記第１コンテンツの少なくとも一部を含む第３コンテンツとが前記第１ユーザに対して送信され、前記第１ユーザに対して送信された前記第２コンテンツと、前記第１ユーザに対して送信された前記第３コンテンツとを表示し、表示された前記第３コンテンツに対する前記ユーザによる入力に基づいて、前記グループに送信された前記第１コンテンツを表示する表示部を備える。
【請求項１８】
請求項１７に記載の端末と、
前記第１コンテンツを前記グループに送信し、前記第２コンテンツと前記第３コンテンツとを前記第１ユーザに対して送信するサーバとを含むシステム。
【手続補正２】
【補正対象書類名】明細書
【補正対象項目名】発明の名称
【補正方法】変更
【補正の内容】
【発明の名称】プログラム、情報処理方法、端末、システム
【手続補正３】
【補正対象書類名】明細書
【補正対象項目名】０００１
【補正方法】変更
【補正の内容】
【０００１】
本発明は、プログラム、情報処理方法、端末、システムに関する。
【手続補正４】
【補正対象書類名】明細書
【補正対象項目名】０００４
【補正方法】変更
【補正の内容】
【０００４】
本発明の第１の態様によると、第１ユーザと第２ユーザとを含むグループに含まれるユーザの端末によって実行されるプログラムは、グループに送信された第１コンテンツを端末の表示部に表示することと、表示部に表示された第１コンテンツに対するユーザによる入力に基づいて、端末によって入力された第２コンテンツと、グループに送信された第１コンテンツの少なくとも一部を含む第３コンテンツとが第１ユーザに対して送信され、第１ユーザに対して送信された第２コンテンツと、第１ユーザに対して送信された第３コンテンツとを表示部に表示することと、表示部に表示された第３コンテンツに対するユーザによる入力に基づいて、グループに送信された第１コンテンツを表示部に表示することとが端末によって実行される。
本発明の第２の態様によると、第１ユーザと第２ユーザとを含むグループに含まれるユーザの端末の情報処理方法は、グループに送信された第１コンテンツを端末の表示部に表示することと、表示部に表示された第１コンテンツに対するユーザによる入力に基づいて、端末によって入力された第２コンテンツと、グループに送信された第１コンテンツの少なくとも一部を含む第３コンテンツとが第１ユーザに対して送信され、第１ユーザに対して送信された第２コンテンツと、第１ユーザに対して送信された第３コンテンツとを表示部に表示することと、表示部に表示された第３コンテンツに対するユーザによる入力に基づいて、グループに送信された第１コンテンツを表示部に表示することとを含む。
本発明の第３の態様によると、第１ユーザと第２ユーザとを含むグループに含まれるユーザの端末は、グループに送信された第１コンテンツを表示し、表示された第１コンテンツに対するユーザによる入力に基づいて、端末によって入力された第２コンテンツと、グループに送信された第１コンテンツの少なくとも一部を含む第３コンテンツとが第１ユーザに対して送信され、第１ユーザに対して送信された第２コンテンツと、第１ユーザに対して送信された第３コンテンツとを表示し、表示された第３コンテンツに対するユーザによる入力に基づいて、グループに送信された第１コンテンツを表示する表示部を備える。
本発明の第４の態様によると、システムは、第３の態様における端末と、第１コンテンツをグループに送信し、第２コンテンツと第３コンテンツとを第１ユーザに対して送信するサーバとを含む。